(57)【要約】【課題】表示手段の操作画面を追加、修正することなく機器を拡張することができるホームネットワークシステムを提供することを目的とする。【解決手段】機器の状態情報や制御する画面情報をもつ複数の制御手段１０、１１と、これら制御手段１０、１１の画面情報の表示と画面情報を操作するブラウザ手段１２ａを有する表示手段１２とを備えたものである。これによって、各制御手段１０、１１は画面情報をもっているので、表示手段１２から汎用のブラウザ機能を使って各制御手段１０、１１の画面情報を表示、操作することとなり、表示手段１２の操作画面を追加、修正することなく機器を拡張することができる。【選択図】図１
2006345350.tif 000002
【特許請求の範囲】
【請求項１】
機器の状態情報や制御する画面情報をもつ複数の制御手段と、これら制御手段の画面情報の表示と画面情報を操作するブラウザ手段を有する表示手段とを備えたホームネットワークシステム。
【請求項２】
複数の制御手段は、少なくとも家電機器を制御する制御手段と、センサ機器を制御する制御手段である請求項１に記載のホームネットワークシステム。
【請求項３】
表示手段は、制御手段の画面情報を取得するためのアドレスを設定するアドレス手段を有する請求項１または２に記載のホームネットワークシステム。
【請求項４】
複数の制御手段は、機器の状態が変化したとき表示手段に情報を送信する送信手段を有する請求項1〜３のいずれか１項に記載のホームネットワークシステム。
【請求項５】
制御手段から表示手段に情報を送信する送信手段は、電子メールプロトコルとした請求項４に記載のホームネットワークシステム。
【請求項６】
表示手段は、給湯器を制御する手段を有する請求項１〜５のいずれか１項に記載のホームネットワークシステム。
【発明の詳細な説明】
【技術分野】
【０００１】
本発明は、家庭内の機器をネットワークで接続したホームネットワークシステムに関するものである。
【背景技術】
【０００２】
従来、この種のホームネットワークシステムは、接続できる機器をあらかじめ決めて、システムを構成している（例えば、特許文献１参照）。
【０００３】
これは、図４に示すように、接続された機器を操作する情報操作盤である表示手段１と、その表示手段１と宅内ネットワーク２で接続されたコントローラ３とカメラ４と機器５と、コントローラ３に接続されたドアフォン６と情報機器７と、インターネット網、電話回線網に接続する外部接続ネットワーク８とから構成されている。この表示手段１は、接続されるカメラ４と機器５とドアフォン６と情報機器７に対して、操作画面に応じたデータを送信して、その制御、状態情報の取得、カメラ撮影を行う。そのため、システムに接続されている全ての操作画面と機器を操作するためのデータの手順をプログラムし、また、宅内ネットワーク２は、ネットワークに接続される全ての機器の情報が送受信できるデータの配列、通信速度を持っているものである。
【特許文献１】特開平５−８３７６４号公報
【発明の開示】
【発明が解決しようとする課題】
【０００４】
しかしながら、前記従来の構成では、新しい機器が追加されると、追加された操作画面、機器とのデータ手順、ネットワーク送受信の手順を表示手段１に追加、修正しなければならないという課題を有していた。
【０００５】
本発明は、前記従来の課題を解決するもので、表示手段の操作画面を追加、修正することなく機器を拡張することができるホームネットワークシステムを提供することを目的とする。
【課題を解決するための手段】
【０００６】
前記従来の課題を解決するために、本発明のホームネットワークシステムは、機器の状態情報や制御する画面情報をもつ複数の制御手段と、これら制御手段の画面情報の表示と画面情報を操作するブラウザ手段を有する表示手段とを備えたものである。
【０００７】
これによって、各制御手段は画面情報をもっているので、表示手段から汎用のブラウザ機能を使って各制御手段の画面情報を表示、操作することとなり、表示手段の操作画面を追加、修正することなく機器を拡張することができる。
【発明の効果】
【０００８】
本発明のホームネットワークシステムは、表示手段の操作画面を追加、修正することなく機器を拡張することができる。
【発明を実施するための最良の形態】
【０００９】
第１の発明は、機器の状態情報や制御する画面情報をもつ複数の制御手段と、これら制御手段の画面情報の表示と画面情報を操作するブラウザ手段を有する表示手段とを備えたホームネットワークシステムとすることにより、各制御手段は画面情報をもっているので、表示手段から汎用のブラウザ機能を使って各制御手段の画面情報を表示、操作すること
となり、表示手段の操作画面を追加、修正することなく機器を拡張することができる。
【００１０】
第２の発明は、特に、第１の発明において、複数の制御手段は、少なくとも家電機器を制御する制御手段と、センサ機器を制御する制御手段であることにより、エアコンやシャッター、人感センサやドアセンサなど、機能毎に制御が可能となる。
【００１１】
第３の発明は、特に、第１または第２の発明において、表示手段は、制御手段の画面情報を取得するためのアドレスを設定するアドレス手段を有することにより、各制御手段の機器を確実に制御できる。
【００１２】
第４の発明は、特に、第１〜第３のいずれか１つの発明において、複数の制御手段は、機器の状態が変化したとき表示手段に情報を送信する送信手段を有することにより、機器の状態が変化したことをリアルタイムで表示手段に表示できるものである。
【００１３】
第５の発明は、特に、第４の発明において、制御手段から表示手段に情報を送信する送信手段は、電子メールプロトコルとしたことにより、電子メールプロトコルで機器の状態が変化したことをリアルタイムで表示手段に表示できるものである。
【００１４】
第６の発明は、特に、第１〜第５のいずれか１つの発明において、表示手段は、給湯器を制御する手段を有することにより、表示手段が給湯器リモコン機能を有し、給湯器リモコンと共用化でき安価なシステムにすることができる。
【００１５】
以下、本発明の実施の形態について、図面を参照しながら説明する。なお、この実施の形態によって本発明が限定されるものではない。
【００１６】
（実施の形態１）
図１は、本発明の実施の形態１におけるホームネットワークシステムを示している。
【００１７】
図に示すように、本実施の形態におけるホームネットワークシステムは、機器の状態情報や制御する画面情報をもつ複数の制御手段１０、１１と、これら制御手段１０、１１の画面情報の表示と画面情報を操作するブラウザ手段１２ａおよびアドレス設定手段１２ｂを有する表示手段１２とを備えている。
【００１８】
前記制御手段１０、１１は、それぞれ接続された機器を制御、操作するＷｅｂサーバ１０ａ、Ｗｅｂサーバ１１ａを搭載している。
【００１９】
制御手段１０は、制御する機器として、エアコン１３、シャッター１４などと電灯線あるいは無線などの宅内ネットワーク１５で接続され、機器の状態、エネルギー測定などの情報、制御情報の送受信を行う。宅内ネットワーク１５は、制御手段１０に接続される機器数、制御命令数、情報量から、低速の通信速度で双方向を行うことができる機器の制御に適したプロトコルで情報の送受信を行う。また、制御手段１１は、制御する機器として、人感センサ１６、ドアセンサ１７などと電灯線あるいは無線などのセンサネットワーク１８で接続され、センサ情報を送信する。センサネットワーク１８は、制御手段１１に接続される機器数、制御命令数、情報量から、低速の通信速度で単方向または双方向を行うことができるセンサ機器の制御に適したプロトコルで情報の送受信を行う。
【００２０】
このように、機器が専用のネットワークで接続された制御手段１０、１１は、それぞれ目的に応じたネットワークと機器が接続されているもので、順次拡張していくことができる。例えば、ＡＶ機器を接続するときは、ＡＶ機器に適した高速のネットワークを使用し、ＡＶ機器用の制御手段と接続されるものであり、実施の形態で示した制御手段１０、１
１に限られるものではない。
【００２１】
そして、制御手段１０、１１は、情報操作盤である表示手段１２とＬＡＮ配線１９で接続される。このとき、全てのＬＡＮ配線１９は、ネットワーク分配器２０に入り分配される。ネットワーク分配器２０は、ＬＡＮ配線１９で宅内のネットワークと接続される。また、インターネット２１へも接続し、携帯電話、パソコンから制御手段１０、１１経由で各機器を制御したり、表示手段１２経由で各機器を制御したりする。
【００２２】
ここで、既述したとおり、制御手段１０、１１は、Ｗｅｂサーバ１０ａ、１１ａをそれぞれもっており、表示手段１２のブラウザ手段１２ａからＷｅｂサーバ１０ａ、１１ａを操作する。具体的には、Ｗｅｂサーバ１０ａ、１１ａは、ホームページを作成するＨＴＭＬで記述したり、ＣＧＩで構成したりし、表示手段１２からこれらのプログラムを起動すると、制御手段１０あるいは１１にもっている画像データが表示手段１２のブラウザ手段１２ａに表示され、表示手段１２のボタン、タッチパネルなどを押すことにより、その情報がＷｅｂサーバ１０ａ、１１ａに送信され、その情報に応じた機器の制御あるいは状態情報を表示手段１２に送信し、表示を行う。
【００２３】
さらに、表示手段１２は、制御手段１０、１１のＬＡＮ配線１９で接続されているアドレスを設定するアドレス設定手段１２ｂを持っているので、設定したアドレスを保持している。アドレス設定は、表示手段１２の画面から手動設定するか、制御手段が接続されたときに自動で検出、設定するものである。例えば、表示手段１２から制御手段１０を制御するときは、アドレス設定手段１２ｂに保持されている制御手段１０のＷｅｂサーバ１０ａの接続先アドレスに接続し、表示手段１２から操作を行う。
【００２４】
以上のように、本実施の形態においては、各制御手段１０、１１は画面情報をもっているので、表示手段１２から汎用のブラウザ機能を使って各制御手段１０、１１の画面情報を表示、操作することとなり、表示手段１２の操作画面を追加、修正することなく機器を拡張することができるものである。
【００２５】
（実施の形態２）
図２は、本発明の実施の形態２におけるホームネットワークシステムを示している。実施の形態１と同一要素については同一符号を付してその説明を省略する。
【００２６】
本実施の形態におけるホームネットワークシステムの複数の制御手段１０、１１は、各機器の状態が変化したとき表示手段１２に情報を送信するメール送信ブロックである送信手段１０ｂ、１１ｂを有するものである。また、表示手段１２にはメール受信ブロックである受信手段１２ｃを有している。すなわち、送信手段１０ｂ、１１ｂは電子メールプロトコルで表示手段１２の受信手段１２ｃに情報を送信するものである。
【００２７】
例えば、エアコン１３が、手元操作リモコンから電源ＯＮに状態を変化させると、制御手段１０に、宅内ネットワーク１５を介して、電源ＯＮの状態変化の情報を送信する。制御手段１０は、送信手段１０ｂがその情報を得て、送信手段１０ｂからメールプロトコルで表示手段１２に送信する。表示手段１２は、受信手段１２ｃで、送信されたメールを受信する。その受信したデータを解析し、データに応じて機器状態を表示する。なお、メール情報以外の命令の送信でも表示することはできるが、その場合、専用のシステムになり、拡張性が限定されることになる。
【００２８】
以上のように、本実施の形態においては、機器の状態が変化したことを電子メールプロトコルで表示手段１２に送信することにより、リアルタイムで表示手段１２に表示できるものである。
【００２９】
（実施の形態３）
図３は、本発明の実施の形態３におけるホームネットワークシステムを示している。実施の形態１、２と同一要素については同一符号を付してその説明を省略する。
【００３０】
本実施の形態におけるホームネットワークシステムの表示手段１２は、ガスあるいは電気などを熱源とする給湯器２２を制御する手段を有するものである。すなわち、給湯器２２のリモコン機能を搭載しており、ブラウザ手段１２ａで操作しないときは、給湯器２２のリモコンとして操作することができるようにしている。
【００３１】
以上のように、本実施の形態においては、表示手段１２が給湯器２２のリモコンの機能を搭載することにより、給湯器２２のリモコンと共用化となり安価なシステムにすることができる。そのため、一般家庭に普及している給湯器リモコン機能として、台所に設置できる。
【産業上の利用可能性】
【００３２】
以上のように、本発明にかかるホームネットワークシステムは、表示手段の操作画面を追加、修正することなく機器を拡張することが可能となるので、家庭内のホームネットワーク、セキュリティなどのシステムとして適用できる。
【図面の簡単な説明】
【００３３】
【図１】本発明の実施の形態１におけるホームネットワークシステムのブロック図
【図２】本発明の実施の形態２におけるホームネットワークシステムのブロック図
【図３】本発明の実施の形態３におけるホームネットワークシステムのブロック図
【図４】従来のホームネットワークシステムのブロック図
【符号の説明】
【００３４】
１０、１１  制御手段
１０ａ、１１ｂ  Ｗｅｂサーバ
１０ｂ、１１ｂ  送信手段
１２  表示手段（情報操作盤）
１２ａ  ブラウザ手段
１２ｂ  アドレス設定手段
１２ｃ  受信手段
１３  エアコン
１４  シャッター
１６  人感センサ
１７  ドアセンサ
２２  給湯器
【図１】
2006345350.tif 000003
【図２】
2006345350.tif 000004
【図３】
2006345350.tif 000005
【図４】
2006345350.tif 000006